(57)【特許請求の範囲】
【請求項１】
オブジェクト場所における道路境界物を検出する方法であって、
前記オブジェクト場所の入力画像を取得するステップと、
前記入力画像における画像ユニットを選択するステップと、
連続の複数フレームの入力画像から前記画像ユニットの画像特徴を抽出して画像特徴序列を構成するステップと、
前記画像特徴序列に基づいて前記道路境界物を検出するステップと、を含み、
前記入力画像は視差画像を含み、前記画像ユニットは前記視差画像の所定距離にある断面である、方法。
【請求項２】
前記入力画像における画像ユニットを選択するステップは、
前記入力画像に対して予定の画像処理を行い、概略の道路境界物領域を取得するステップと、
前記画像ユニットを、前記概略の道路境界物領域を覆うよう選択するステップと、を含む、請求項１に記載の方法。
【請求項３】
前記画像特徴序列に基づいて前記道路境界物を検出するステップは、
前記画像特徴序列における特定の画像特徴を抽出するステップと、
前記特定の画像特徴に基づいて前記道路境界物を検出するステップ、を含む、請求項１又は２に記載の方法。
【請求項４】
前記特定の画像特徴は連続性特徴と周期性特徴の少なくとも一つを含む、請求項３に記載の方法。
【請求項５】
前記オブジェクト場所の入力画像を捕捉する捕捉装置の移動速度を検出し、前記移動速度に基づいて前記画像ユニットの隣接フレーム間の距離を補正し、補正した画像特徴序列から前記周期性特徴を抽出するステップをさらに含む、請求項４に記載の方法。
【請求項６】
前記特定の画像特徴に基づいて前記道路境界物を検出するステップは、
前記特定の画像特徴に対応した入力画像の画素点を取得するステップと、
前記入力画像のX軸とY軸に前記画素点を投影するステップと、
前記画素点の投影に基づいて前記道路境界物を確定するステップと、を含む、請求項３に記載の方法。
【請求項７】
前記入力画像における画像ユニットを選択するステップは、
複数の画像ユニットを選択し、複数の画像特徴序列を構成するように、連続の複数フレームの入力画像から前記複数の画像ユニットにおける各画像ユニットの画像特徴を抽出するステップを含む、請求項１に記載の方法。
【請求項８】
前記複数の画像ユニットにおける第１画像ユニットと第２画像ユニットとの間の相関性を確定するステップと、
前記相関性に基づいて一つのフレームの入力画像から抽出した第１画像ユニットの画像特徴を利用して、該一つのフレームの入力画像の直前フレームの入力画像から抽出した第２画像ユニットの画像特徴を強化するステップと、をさらに含む、請求項７に記載の方法。
【請求項９】
オブジェクト場所における道路境界物を検出する装置であって、
前記オブジェクト場所の入力画像を取得する取得部と、
前記入力画像における画像ユニットを選択する選択部と、
連続の複数フレームの入力画像から前記画像ユニットの画像特徴を抽出して画像特徴序列を構成する抽出部と、
前記画像特徴序列に基づいて道路境界物を検出する検出部と、を含み、
前記入力画像は視差画像を含み、前記画像ユニットは前記視差画像の所定距離にある断面である、装置。
【請求項１０】
コンピュータに、請求項１〜８の任意の1項に記載の方法を実行させるためのプログラム。
【請求項１１】
請求項１０に記載のプログラムを記憶したコンピュータ読み取り可能な記憶媒体。
【発明の詳細な説明】
【技術分野】
【０００１】
本発明は対象検出分野に関し、さらに具体的には道路境界物の検出方法及び装置に関する。
【背景技術】
【０００２】
運転支援システムの応用は日増しに普及してきている。道路又は車線警告システム（Lane/Road  detection  warning、LDW/RDW）は運転支援システムのサブシステムで、衝突を避け、運転方向などを一層正確に確定することができる。道路または車道検出はLDW/RDWシステムにとって重要なポイントであり、道路情報を知り得たという基礎があって初めて更なる処理、例えば警告などができる。一般的には道路境界物の検出によって道路または車線を検出する。
【０００３】
道路境界物には、道路境界が含まれ、例えば、縁石、柵、植え込み及びその他道の領域及び車道の標示となる物体などである。
【０００４】
従来の道路境界物の検出方法では、通常は特定の道路境界物に対して検出を行い、例えば柵、木、建物などにおける単独の一つの特定の特徴を検知する。しかし、実際、道路状況が複雑であることがあり、前記の一つの道路境界物のみ含むものではない。あるいは柱、未知建物の不連続物体を含むかもしれない。このような複雑な道路状況に対して、通常は道路境界物を検出することが難しい。
【発明の概要】
【発明が解決しようとする課題】
【０００５】
以上の問題を考慮して、複雑な道路状況でも道路境界物を正しく検出するように、検出対象を限定することが必要ではない、汎用の道路境界物の検出方法及び装置を提供する。
【課題を解決するための手段】
【０００６】
本発明の一つの面においては、オブジェクト場所の入力画像を取得するステップ、入力画像における画像ユニットを選択するステップ、連続の複数フレームの入力画像から前記画像ユニットの画像特徴を抽出して画像特徴序列を構成するステップ、及び前記画像特徴序列に基づき道路境界物を検出するステップを含むことができる道路境界物を検出する方法を提供する。
【０００７】
一つの実施例では、前記入力画像における画像ユニットを選択するステップは、前記入力画像に対して、予定の画像処理を行い、概略の道路境界物領域を取得するステップ、及び前記画像ユニットを選択して前記概略の道路境界物領域を覆うステップを含む。
【０００８】
あるいは、前記入力画像は視差画像を含み、前記画像ユニットは前記視差画像の所定距離にある断面である。
【０００９】
他の実施例では、前記画像特徴序列に基づき道路境界物を検出するステップは、前記画像特徴序列における特定の画像特徴を抽出するステップ、及び前記特定の画像特徴に基づき道路境界物を検出するステップを含む。なお、前記特定の画像特徴は連続性特徴と周期性特徴の少なくとも一つを含む。
【００１０】
他の実施例では、オブジェクト場所の入力画像を捕捉する捕捉装置の移動速度を検出し、前記移動速度に基き前記画像ユニットの隣接フレーム間の距離を補正し、補正した画像特徴序列から前記周期性特徴を抽出するステップをさらに含む。
【００１１】
他の実施例では、前記特定の画像特徴に基づき道路境界物を検出するステップは、前記特定の画像特徴に対応した入力画像の画素点を取得するステップ、前記入力画像のX軸とY軸に前記画素点を投影するステップ、及び画素点の投影に基づき前記道路境界物を確定するステップを含む。
【００１２】
他の実施例では、前記入力画像における画像ユニットを選択するステップは、複数の画像ユニットを選択し、複数の画像特徴序列を構成するように、連続の複数フレームの入力画像から前記複数の画像ユニットにおける各画像ユニットの画像特徴を抽出するステップを含む。
【００１３】
本発明の道路境界物を検出する方法は、前記複数の画像ユニットにおける第１画像ユニットと第２画像ユニットとの間の相関性を確定するステップ、及び前記相関性に基づいて一つのフレームの入力画像から抽出した第１画像ユニットの画像特徴を利用して、該一つのフレームの入力画像の直前フレームの入力画像から抽出した第２画像ユニットの画像特徴を強化するステップをさらに含む。
【００１４】
本発明の他の面においては、オブジェクト場所の入力画像を取得する取得部と、入力画像における画像ユニットを選択する選択部と、連続の複数フレームの入力画像から前記画像ユニットの画像特徴を抽出して画像特徴序列を構成する抽出部と、前記画像特徴序列に基づき道路境界物を検出する検出部とを含むオブジェクト場所における道路境界物を検出する装置を提供する。
【００１５】
本発明によれば、３次元空間を２次元画像特徴の時間序列に変換し、この２次元画像特徴の時間序列から特定の画像特徴を抽出し、道路境界物を検出することができる。これによって、この検出装置は、検出できる特定の画像特徴を具備すれば、連続の道路境界物だけでなく、不連続の道路境界物も検出することができ、検出対象を限定することが必要ではないので、未知道路状況に適用できる。よって、複雑な道路状況でも道路境界物を正しく検出することができる。
【図面の簡単な説明】
【００１６】
【図１】本発明の応用環境の例である車載システムの概念図である。
【図２】本発明の実施例による道路境界物の検出方法の全体フローチャートである。
【図３】選択した画像ユニットの例を示す図である。
【図４】選択した画像ユニットの他の例を示す図である。
【図５】画像ユニットにおける視差特徴序列の例を示す図である。
【図６】他の画像ユニットにおける画像特徴序列の例を示す図である。
【図７】本発明の実施例による道路境界物の検出方法の検出結果を示す図である。
【図８】複数の画像ユニットの間の相関性を示す図である。
【図９】本発明の他の実施例による道路境界物の検出装置の機能ブロック図である。
【図１０】本発明の実施例による道路境界物検出を実現する検出システムのハードウェア構成図である。
【発明を実施するための形態】
【００１７】
当業者が本発明をより良く理解し得るため、以下は図面と具体的な実施方式を合わせて、本発明に対し一層詳細な説明を行う。以下、
1、発明思想の概説
2、実施例
2.1、道路境界物検出方法
2.2、道路境界物検出装置
2.3、道路境界物検出システム
3、まとめ
という順序で説明を行う。
＜1、発明思想の概説＞
上述したように、従来の技術において、複雑な道路状況で、道路境界物を検出することが難しい。本発明では、３次元空間における道路場面を時間序列上の２次元画像とモデリングし、かつそれらの２次元画像における道路境界物特徴を分析する。それによって、特定の画像特徴を具備すれば、連続の道路境界物だけでなく、不連続の道路境界物も検出することができる。
【００１８】
本発明によれば、検出対象は、既知の特定の道路境界物に限られず、未知の道路境界物も検出することができる。よって、本発明の方法は複雑な道路状況に適用することができる。
【００１９】
図1は本発明を理解するのに役立つ、本発明の応用環境の例としての車載システムを示す図である。本発明によるソフトウェアあるいはハードウェアはその中の道路検出部とすることができる。
＜2、実施例＞
＜2.1道路境界物検出方法＞
図2は本発明の実施例による道路境界物の検出方法の全体フローチャートである。図2が示すように、この実施例による道路境界物検出方法200には、オブジェクト場面の入力画像を取得するステップS210を含めることができる。道路領域を含むオブジェクト場面をカメラでリアルタイム撮影することによって道路領域を含む画像を取得でき、またネットワークを通しその画像を取得することもできる。
【００２０】
採用できる画像はカラー画像、グレースケール画像、視差画像などを含むが、それらの画像に限らない。例えば、オブジェクト場面の左右画像を双眼カメラで撮影し、そして左画像と右画像のいずれかを参考画像とし、道路領域のオブジェクト場面を含む視差画像を立体マッチング算法などで取得する。
【００２１】
オブジェクト場面の入力画像を取得した後、ステップS220で、入力画像における画像ユニットを選択できる。該画像ユニットを選択するときに、この入力画像における道路境界物領域を覆うことを確保する必要がある。その後、該画像ユニットの画像特徴を利用して道路境界物を検出することができる。
【００２２】
一つの例において、画像ユニットを以下の方法で選択できる。まず、入力画像に対して、概略の道路境界物領域を取得するように例えば縁辺（エッジ）検出のような予備処理を行う。該予備処理は本分野の技術者の周知の縁辺処理などであってもいい。現在の応用環境は車載カメラシステムであることが多いので、道路境界物が通常、画像の両側領域にある。次に、該入力画像から画像ユニットを、この概略の道路境界物領域を覆うことを確保するように選択する。画像ユニットは任意の形状、例えば矩形、円形などであってもいい。
【００２３】
図3は選択した画像ユニットの例を示す図である。図3の(a)は取得した入力画像としてのグレースケール画像であり、図3の(b)は該グレースケール画像に選択した矩形画像ユニットを示す。
【００２４】
他の例において、入力画像に距離又は深さの情報が含まれた場合において、例えば入力画像に視差画像が含まれた場合において、選択した画像ユニットは入力画像の深度の切片（セクション）、即ち、入力画像の所定の距離（深度）箇所における断面であってもいい。
【００２５】
図4の(a)〜(c)は選択した画像ユニットの他の例を示す図である。図4の(a)は取得した入力画像としてのグレースケール画像であり、図4の(b)は対応の視差図を示し、図4(c)は入力画像の深度の切片を示す。
【００２６】
そのほか、入力画像にグレースケール画像及び視差画像の両方が含まれた時、視差画像における距離情報を利用して、画像ユニットとしてグレースケール画像の特定の領域を選択することもできる。あるいは、入力画像にグレースケール画像及び深度画像の両方が含まれた時（深度画像は視差により取得でき、レーダーなどのレンジセンサーで取得してもいい）、深度情報により、画像ユニットとしてグレースケール画像の特定の領域を選択することもできる。
【００２７】
もちろん、前記の画像ユニット選択方法は具体的例の一つに過ぎず、いかなる他の適当な選択方法でもいい。そして、選択した画像ユニットは一つに限らず、複数でもいい。
【００２８】
画像ユニットを選定すると、それは画像フレーム序列における位置とサイズが固定し、そして、車載カメラが車両の走りに従い、画像ユニットが監視カメラの視界における道路境界物の窓口になる。時間の進み、フレーム序列の進みに従い、画像ユニット窓口に現れるオブジェクトが距離上で絶えず前向きに推進する。従って、３次元世界における道路境界物は元の２次元世界プラス距離次元から、２次元画像と時間序列との組み合わせになる。
【００２９】
それで、ステップS230で、連続の複数フレームの入力画像に前記画像ユニットにおける画像特徴を抽出し、画像特徴序列を構成する。抽出した画像特徴は任意の有効な画像特徴、例えば、色特徴、縁辺又は勾配特徴、視差分布特徴などであってもいい。
【００３０】
複数フレームの入力画像における画像ユニットの画像特徴を抽出した後、時間序列に従って各画像ユニットの画像特徴を並び、各画像ユニットの画像特徴序列を構成する。
【００３１】
図5の(a)〜(f)は画像ユニットにおける視差特徴序列の例を示す。図5の(a)は入力画像を示し、図5の(b)は複数フレームの入力画像の深度切片を示し、AとBが深度切片における、密集視差点分布がある二つの特徴部分であり、図5の(c)は複数フレームの入力画像における一部のA、Bの視差点間の分布幅特徴の時間序列を示し、図5の(d)は複数フレームの入力画像における一部のAの視差点の分布高さ特徴の時間序列を示し、図5の(e)及び図5の(f)はそれぞれ一部のA、Bにおける視差点数量分布統計特徴の時間序列を示す。
【００３２】
図6の(a)〜(d)は他の画像ユニットにおける画像特徴序列の例を示す。図6の(a)は複数フレームの入力画像における矩形画像ユニットを示し、図6の(b)は複数フレームの入力画像の画像ユニットにおける画素点（例えばグレースケール画像の画素点又は視差図像の視差点）密度分布特徴の時間序列を示し、図6の(c)は複数フレームの入力画像の画像ユニットにおける画素点分布領域の高さ特徴の時間序列を示し、図6の(d)は複数フレームの入力画像の画像ユニットにおける画素点の勾配特徴統計値特徴の時間序列を示す。
【００３３】
もちろん、前記画像特徴はいくつかの例のみで、それらの画像特徴以外のいかなる他の適当な画像特徴を抽出してもいい。そして、各画像ユニットに対して一つ又は複数の画像特徴を抽出することができ、一つ又は複数の画像特徴序列を構成する。また、本実施例において、画像特徴序列が１次元特徴序列であるが、２次元以上特徴序列に広げることができ、例えば、視差点統計の水平及び垂直の棒グラフであっても良い。
【００３４】
ステップS240で、ステップS230で得た画像特徴序列に基づいてオブジェクト場面における道路境界物を検出することができる。
【００３５】
具体的に言えば、一つの実施例において、該画像特徴序列における特定の画像特徴を抽出することができ、そして、この特定の画像特徴に基づいて道路境界物を検出する。特定の画像特徴は道路境界物の特徴を代表できる特徴であり、例えば、連続性特徴、周期性特徴、又はそれらの組み合わせなど。
【００３６】
通常、道路境界物は、主に柵、囲い、植え込み、柱、木、縁石などを含む。オブジェクト特徴は、道路方向に延長し、安定の固定特徴又は周期性変化特徴又は混合型が現れる。
【００３７】
連続性特徴として、例えば、Feature(t)=Feature(t+x)という式で示すことができ、即ち、任意の時間ｔでの特徴は時間t+xでの特徴と一致し、なお、ｘは任意の時間増分である。
【００３８】
図5の(a)に示すように、道路境界物としての柵は連続性の自身特徴属性を有し、この視差図は、図5の(c)における視差分布幅特徴と、図5の(d)における視差分布高さ特徴と、図5の(e)及び図5の(f)における視差点分布特徴が時間序列に安定的に一定である。よって、特徴序列の特徴値が時間とともに安定すれば、連続の道路境界物が存在することを確定することができる。
【００３９】
周期性特徴として、例えば、Feature(t)-Feature(t+T)-Feature(t+2T)という式で示すことができ、即ち、特徴は、Tを時間周期として変化する。図6の(a)に示すように、周期性配置特徴を具備する街灯柱を道路境界物としてもいい。よって、図6の(b)における点密度特徴と、図6の(c)における点分布高さ特徴と、図6の(d)における勾配特徴とから、ともに周期性特徴を検出することができる。それによって、周期性道路境界物が存在したことを確定することができる。
【００４０】
周期性情報を抽出する方法として、いろいろな方法を採用することができる。例えば、周波数領域分析方法、フーリエ変換方法、スペクトル分解方法などで特徴周期を確定する。
【００４１】
周期性特徴を抽出するとき、選択として、時間フレーム序列及び距離位置を補正することができる。この補正を行うことは、主に３次元空間から２次元特徴と時間序列との組み合わせに変換する際の特徴序列の一致性を確保するためであり、これにより、特徴の歪みを避けることができる。具体的に言えば、オブジェクト場所の入力画像を捕捉する捕捉装置の移動速度を検出することができ、検出した移動速度に基づいて補正を行う。速度が等速直線運動なら、補正する必要がない。速度が変化なら、速度の変化率により画像ユニットの隣接フレーム間の距離を確定し、即ち、補正した画像特徴序列から前記周期性特徴を抽出するように、隣接フレーム間の時間軸上の位置を調整する。速度方向が変化なら、それに基づいて、選択した画像ユニットの位置を調整することもできる。ただし、フレーム間の変化が非常に小さいので、この補正動作を行わなくてもいい。
【００４２】
特定の画像特徴を抽出した後、抽出した特定の画像特徴により道路境界物を検出することができる。つまり、該特定の画像特徴の対応した道路境界物の位置を確定することによって、オブジェクト場所における道路境界物を検出することができる。
【００４３】
具体的に言えば、一つの実施例において、抽出した例えば連続性特徴、周期性特徴などの特定の画像特徴に対応した入力画像の画素点を取得することができる。次に、入力画像のX軸とY軸にそれらの画素点を投影し、画素点投影に基づき前記道路境界物を確定することができる。例えば、それらの画素点を直線又は曲線にフィッティングし、道路境界としている。あるいは、画素点投影及び前記特定の画像特徴に対応した入力画像の画素点に基づいて道路境界物の平面を確定することもできる。
【００４４】
もちろん、特定の画像特徴基づいて道路境界物を検出する方法は前記の投影方法に限らず、本分野の常用のいかなる他の方法を採用してもいい。例えば、特定の画像特徴に基づく連通領域分析（CCA）方法。これらの方法は本分野の技術者にとって容易に実現するので、ここでは説明を省略する。
【００４５】
それによって、道路境界物検出結果として該道路境界又は道路境界物の平面を出力することができ、該検出結果に基づき適当的にドライブ制御などを行うことができる。
【００４６】
図7の(a)〜(d)は本発明の実施例による道路境界物の検出方法の検出結果を示す図である。なお、図7の(a)と図7の(ｃ)はそれぞれ入力画像を示し、図7の(ｂ)は図7の(a)の入力画像に対応した道路境界物の検出結果を示し、なお、柵に対応した道路境界物を検出した。図7の(d)は図7の(ｃ)の入力画像に対応した道路境界物の検出結果を示し、なお、街灯柱に対応した道路境界物を検出した。
【００４７】
もちろん、前記方法は例のみで、特定の画像特徴に基づき道路境界物を検出する方法はそれに限らず、本分野の技術者はいかなる他の適当な方法を採用することができる。
【００４８】
また、前記のように、入力画像から画像ユニットを選択するとき、一つの画像ユニットでも複数の画像ユニットでも選択することができる。入力画像における複数の画像ユニットを選択する際、画像ユニットの間で互いに関連があるかもしれない。図8は複数の画像ユニットの間の相関性を示す図である。図8に示すように、二つの画像ユニットを選択すれば、時間Tの時空において、二つの画像ユニットがそれぞれ矩形領域A（破線）とB（実線）である。同一フレーム時刻に、AとBは異なる距離にあり、異なるサイズを占めている。しかし、時間フレーム序列の進みに従い、その後のT+t時刻に、画像ユニットBの窓口におけるオブジェクトである街灯柱は、近い画像ユニットAの窓口に相対的に移動してくる。つまり、T+t時刻にある画像ユニットAにおける画像オブジェクトは、T時刻にある画像ユニットBにおける画像オブジェクトと同一物体である。
【００４９】
言い換えれば、ｔ番目のフレームの距離ｄにある画像ユニットU(ｄ、ｔ)は、(ｔ＋a)番目のフレームの距離(ｄ-x)にある画像ユニットU(ｄ-x、ｔ+a)と対応関係があり、同一のオブジェクトの異なる解像度での画像に相当している。このような相関性が存在するかどうか、通常、カメラの移動速度と画像ユニット間の距離とから確定できる。よって、選択として、画像ユニット間の該相関性に基づき画像特徴を強化することができる。例えば、一つのフレームの入力画像から抽出した画像ユニットAの画像特徴を利用して、該一つのフレームの入力画像の直前フレームの入力画像から抽出した画像ユニットBの画像特徴を強化することができる。それによって、抽出した画像ユニットにおける画像特徴がより微細になり、その後の検出正確性を高めることに役に立つ。
【００５０】
本発明の本実施例における道路境界物検出方法200によれば、３次元空間を２次元画像特徴の時間序列に変換し、この２次元画像特徴の時間序列から特定の画像特徴を抽出し、道路境界物を検出することができる。これによって、この検出方法は、検出できる特定の画像特徴を具備すれば、連続の道路境界物だけでなく、不連続の道路境界物も検出することができ、検出対象を限定することが必要ではないので、未知道路状況に適用できる。よって、複雑な道路状況でも道路境界物を正しく検出することができる。
＜2.2、道路境界物検出装置＞
以下、図9を参考に本発明の別の実施例による道路境界物の検出装置を説明する。図9はこの道路境界物の検出装置の機能ブロック図である。図9が示すように、その検出装置900は、オブジェクト場所の入力画像を取得する取得部910と、入力画像における画像ユニットを選択する選択部920と、連続の複数フレームの入力画像から前記画像ユニットの画像特徴を抽出して画像特徴序列を構成する抽出部930と、前記画像特徴序列に基づき道路境界物を検出する検出部940とを含むことができる。
【００５１】
一つの例において、該選択部920は、取得部910の取得した入力画像に対して、予定の画像処理を行い、概略の道路境界物領域を取得し、そして画像ユニットを選択してこの概略の道路境界物領域を覆うことができる。
【００５２】
他の実施例において、該取得部910の取得した入力画像は、視差画像を含み、そして該選択部920はこの視差画像の所定距離にある断面を前記画像ユニットとしていることができる。
【００５３】
前記検出部940は前記画像特徴序列における特定の画像特徴を抽出し、そして、抽出した特定の画像特徴に基づき道路境界物を検出することができる。特定の画像特徴は、連続性特徴、周期性特徴、それらの組み合わせなどを含むことができる。
【００５４】
該検出部940は、前記特定の画像特徴に対応した入力画像の画素点を取得し、前記入力画像のX軸とY軸に前記画素点を投影し、画素点投影に基づき前記道路境界物を確定することができる。
【００５５】
該検出装置900は、選択として、補正部（未表示）を含むこともできる。前記補正部は、オブジェクト場所の入力画像を捕捉する捕捉装置の移動速度を検出することに用いて、そして、前記移動速度に基き前記画像ユニットの隣接フレーム間の距離を補正して、補正した画像特徴序列から前記周期性特徴を抽出する。
【００５６】
前記選択部920は入力画像における複数の画像ユニットを選択することができる。そして、複数の画像特徴序列を構成するように、前記抽出部930は連続の複数のフレームの入力画像から複数の画像ユニットにおける各画像ユニットの画像特徴を抽出することができる。
【００５７】
前記検出装置900は、選択として、強化部（未表示）を含むこともできる。前記強化部は、前記複数の画像ユニットにおける第１画像ユニットと第２画像ユニットとの間の相関性を確定することに用いて、そして、前記相関性に基づいて一つのフレームの入力画像から抽出した第１画像ユニットの画像特徴を利用して、該一つのフレームの入力画像の直前フレームの入力画像から抽出した第２画像ユニットの画像特徴を強化することができる。
【００５８】
前記検出装置900の、取得部910と選択部920と抽出部930と検出部940の具体的操作過程は、前記方法２００におけるステップS210−S240を参考することができ、ここでは説明省略にしている。
【００５９】
本発明の本実施例の道路境界物検出装置900によれば、３次元空間を２次元画像特徴の時間序列に変換し、この２次元画像特徴の時間序列から特定の画像特徴を抽出し、道路境界物を検出することができる。これによって、この検出装置は、検出できる特定の画像特徴を具備すれば、連続の道路境界物だけでなく、不連続の道路境界物も検出することができ、検出対象を限定することが必要ではないので、未知道路状況に適用できる。よって、複雑な道路状況でも道路境界物を正しく検出することができる。
＜2.3、道路境界物検出システム＞
続いて、図10を参考に本発明の一つの実施例による、道路境界物検出を実現する検出システムのハードウェア配置を説明する。図10が示すように、検出システム1000は、外部から、例えばカラー画像、グレースケール画像、深度画像、視差画像等、処理しよう画像を入力するために用いる、例えばキーボード、マウス、通信ネットワーク、及び該通信ネットワークの接続した遠隔入力装置等を含む入力装置1110と、上述の本発明の実施例の道路境界物検出方法を実行するための、或いは上述の本発明の実施例の道路境界物装置を実現するための、例えばコンピューターの中央処理ユニット或いはその他処理能力を有するチップ等を含み、例えばインターネットのネットワーク（未表示）に接続し、処理過程での必要に応じてネットワークから必要なデータを取得できる処理装置1120と、外部に、例えば検出して得た画像中の道路境界線、道路境界物など、上述の道路境界物の検出結果を出力するための、例えばディスプレイ、プリンター、通信ネットワーク、及び該通信ネットワークの接続した遠隔出力装置等を含む出力装置1030と、揮発性或いは不揮発性の方式で上述の処理過程に関わる画像、データ、得られた結果、コマンド及び中間データ等を記憶するための、例えばランダムアクセスメモリ（RAM）、読取り専用メモリ（ROM）、ハードディスク、或いは半導体メモリ等の各種揮発性或いは不揮発性のメモリを含む記憶装置1140と、を含む。
【００６０】
もちろん、簡略のため、図10ではシステム中の本発明と関係のあるコンポーネントの一部だけを示しており、例えばバス、入力/出力インターフェース等のコンポーネントは省略している。その他、具体的な応用状況に基づいて、システム1100はその他のふさわしいいかなるコンポーネントも含めることができる。
＜3．まとめ＞
本発明により、道路境界物の検出方法、検出装置及び検出システムを提供した。オブジェクト場所の入力画像を取得し、入力画像中における画像ユニットを選択し、連続の複数フレームの入力画像から画像ユニットの画像特徴を抽出して画像特徴序列を構成し、画像特徴序列に基づき道路境界物を検出する。
【００６１】
前記の道路境界物の検出方法、検出装置及び検出システムによれば、３次元空間を２次元画像特徴の時間序列に変換し、この２次元画像特徴の時間序列から特定の画像特徴を抽出し、道路境界物を検出することができる。これによって、この検出装置は、検出できる特定の画像特徴を具備すれば、連続の道路境界物だけでなく、不連続の道路境界物も検出することができ、検出対象を限定することが必要ではないので、未知道路状況に適用できる。よって、複雑な道路状況でも道路境界物を正しく検出することができる。
【００６２】
以上、図面を参考に本発明の実施例である道路境界物の検出方法及び装置について詳細な説明を行った。本開示に関わる装置、装置、システムのブロック図は単に例を示すものであり、必ずブロック図の示す方法で接続、配置、構成を行うよう要求または暗示することを意図するものではない。当業者であれば知っているように、任意の方法でこれらの装置、装置、システムを接続、配置、構成できる。例えば、「含む」、「包含する」、「備える」等の単語は開放な語彙であり、「含むが限らない」ことを指し、且つ互換使用できる。ここで用いている語彙「または」や「及び」は、文脈上で明確な指示がないかぎり、「及び／または」を指しており、且つ互換使用できる。ここで用いている語彙「例えば」は「例えるが限定しない」ことを指し、且つ互換使用できる。
【００６３】
本開示中のステップのフローチャート及び上述の方法についての記載はあくまで例に過ぎず、必ずその順序に沿って実施例のステップを行うよう要求したり暗示したりするものではない。当業者であれば知っているように、任意の順序で上述の実施例中のステップを実行できる。例えば、「その後」、「それから」、「次に」等の単語はステップの順序を限定するものではない。これらの単語はあくまでそれら方法の記載に対する読者の理解を助けるためのものである。その他、例えば冠詞「一つ」、「一」或いは「その」など単数の要素のいかなる引用も単数として限定しない。
【００６４】
開示した分野の以上の説明により、いかなる当業者であれ本発明を実行または使用することができる。これらの分野に対する様々な修正は当業者にとってはきわめて容易に見て取れるものであり、且つここで定義した一般原理は他方面に応用でき、本発明の範囲を外れるものではない。したがって、本発明はここに示した方面だけに限定されず、それはここで開示した原理及び新規な特徴が一致する最大範囲にまで及ぶものである。
【図１】
0006288173.tif 000002
【図２】
0006288173.tif 000003
【図３】
0006288173.tif 000004
【図４】
0006288173.tif 000005
【図５】
0006288173.tif 000006
【図６】
0006288173.tif 000007
【図７】
0006288173.tif 000008
【図８】
0006288173.tif 000009
【図９】
0006288173.tif 000010
【図１０】
0006288173.tif 000011